(57)【特許請求の範囲】
【請求項１】
上横材、下横材及び左右の縦材を有し、前記上横材と前記下横材との間に左右の縦材間に亘る中間横材を設けた枠体を備え、
前記中間横材と前記下横材との間に建物の居住空間と対向するビジョン部が形成され、前記上横材と前記中間横材との間に前記建物の上下階の境界部分と対向するスパンドレル部が形成されると共に、前記ビジョン部の室内側面材と室外側面材との間に、下部の吸気口と上部の排気口とで室外に連通する中間空気層が形成されたカーテンウォールであって、
前記中間横材は、前記中間空気層の上部を塞ぐ上側部材と、前記上側部材の下方で該上側部材に対して隙間を介して配置される下側部材とを備え、前記上側部材の室外側縁部と前記下側部材の室外側縁部との間に前記排気口が形成され、
前記下側部材の室外側縁部の下側見込み面に対し、該下側部材の長手方向に亘って延在する第１横止水材を設けると共に、該第１横止水材の下面で前記室外側面材の上端面を支持し、
前記上側部材の室外側縁部の上側見込み面に対し、該上側部材の長手方向に亘って延在する第２横止水材を設けると共に、該第２横止水材の上面で前記スパンドレル部の面材の下端面を支持したことを特徴とするカーテンウォール。
【請求項２】
請求項１記載のカーテンウォールにおいて、
前記第１横止水材は、前記室外側面材の室外側面を覆わないように設けられ、
前記第２横止水材は、前記スパンドレル部の面材の室外側面を覆わないように設けられていることを特徴とするカーテンウォール。
【請求項３】
請求項１又は２記載のカーテンウォールにおいて、
前記左右の縦材の室外側端部には、該縦材の長手方向に亘って延在し、該縦材との間で前記ビジョン部の室外側面材及び前記スパンドレル部の面材を保持する押縁が装着され、
前記押縁と前記室外側面材及び前記面材との間には、前記縦材の長手方向に亘って延在し、前記中間横材に設けられた前記第１横止水材及び前記第２横止水材と接触する縦止水材が設けられることを特徴とするカーテンウォール。
【請求項４】
請求項３記載のカーテンウォールにおいて、
前記排気口の前記縦止水材で覆われる端部部分に、前記縦止水材と接触する補助止水材を設けたことを特徴とするカーテンウォール。
【請求項５】
請求項１〜４のいずれか１項に記載のカーテンウォールを外壁に用いたことを特徴とする建物。
【発明の詳細な説明】
【技術分野】
【０００１】
本発明は、建物の外壁を構成するカーテンウォール及び該カーテンウォールを備える建物に関する。
【背景技術】
【０００２】
一般に建物の外壁は、床と天井との間の居住空間と対向する窓部（ビジョン部）と、下の階の天井と上の階の床との間に形成された上下階の境界部分（スパンドレル部）とが上下方向に交互に連続することで構成されている。
【０００３】
このような外壁を構成するカーテンウォールとして、本出願人は、例えば特許文献１において、ビジョン部の室内側ガラス（インナースキン）と室外側ガラス（アウタースキン）との間に上下が室外と連通する中間空気層を設けると共に、スパンドレル部及びビジョン部の四方を枠体で囲んだ、いわゆるユニット型のダブルスキン構造を提案している。この構成では、ビジョン部とスパンドレル部との間に設けられた無目（中間横材）に中間空気層の排気口を設けることで中間空気層をビジョン部のみに限定することで、中間空気層の容積や吸排気口を小さくして建物の外観品質を高め、コストも低減することができる。
【先行技術文献】
【特許文献】
【０００４】
【特許文献１】特許第５２９９９５３号公報
【発明の概要】
【発明が解決しようとする課題】
【０００５】
上記特許文献１の構成では、ビジョン部の上部に排気口を設けるために中間横材に排気口を設けている。具体的には、中間横材の室外側端部に形成された排気口の上縁及び下縁に中間横材の長手方向に亘る押縁をそれぞれ装着し、この押縁によってスパンドレル部及びビジョン部のアウタースキンを保持すると同時に止水性を確保している。
【０００６】
ところが、この構成では、ビジョン部とスパンドレル部との間のアウタースキンが中間横材に装着した押縁によって上下２枚に明確に分割された外観となる。その結果、建物の外観デザイン上、アウタースキンを１枚ガラスのように見せたいという要望には対応することができないものとなっていた。またこの構成では、中間横材に押縁を装着する必要があるため、その分の部品コストや施工コストがかかる。
【０００７】
本発明は、上記従来技術の課題を考慮してなされたものであり、低コストで所望の外観品質を得ることができるカーテンウォール及び該カーテンウォールを備える建物を提供することを目的とする。
【課題を解決するための手段】
【０００８】
本発明に係るカーテンウォールは、上横材、下横材及び左右の縦材を有し、前記上横材と前記下横材との間に左右の縦材間に亘る中間横材を設けた枠体を備え、前記中間横材と前記下横材との間に建物の居住空間と対向するビジョン部が形成され、前記上横材と前記中間横材との間に前記建物の上下階の境界部分と対向するスパンドレル部が形成されると共に、前記ビジョン部の室内側面材と室外側面材との間に、下部の吸気口と上部の排気口とで室外に連通する中間空気層が形成されたカーテンウォールであって、前記中間横材は、前記中間空気層の上部を塞ぐ上側部材と、前記上側部材の下方で該上側部材に対して隙間を介して配置される下側部材とを備え、前記上側部材の室外側縁部と前記下側部材の室外側縁部との間に前記排気口が形成され、前記下側部材の室外側縁部の下側見込み面に対し、該下側部材の長手方向に亘って延在する第１横止水材を介して前記室外側面材を配置し、前記上側部材の室外側縁部の上側見込み面に対し、該上側部材の長手方向に亘って延在する第２横止水材を介して前記スパンドレル部の面材を配置したことを特徴とする。
【０００９】
このような構成によれば、中間空気層の排気口を形成する中間横材の上側部材及び下側部材の室外側縁部の上側見込み面及び下側見込み面に対し、それぞれ第１横止水材及び第２横止水材を介してビジョン部の室外側面材及びスパンドレル部の面材を配置している。これによりこの中間横材の室外側面に押縁のようなアタッチメントを装着する必要がなく、アウタースキンとなるビジョン部の室外側面材とスパンドレル部の面材とを１枚板状に形成した外観デザインとなる。その結果、高い外観品質を確保することができると共に、省略した押縁分の部品コストと施工コストを削減することができる。
【００１０】
本発明に係るカーテンウォールにおいて、前記左右の縦材の室外側端部には、該縦材の長手方向に亘って延在し、該縦材との間で前記ビジョン部の室外側面材及び前記スパンドレル部の面材を保持する押縁が装着され、前記押縁と前記室外側面材及び前記面材との間には、前記縦材の長手方向に亘って延在し、前記中間横材に設けられた前記第１横止水材及び前記第２横止水材と接触する縦止水材が設けられた構成であってもよい。そうすると、中間横材の端部での止水性を確保することができる。
【００１１】
本発明に係るカーテンウォールにおいて、前記排気口の前記縦止水材で覆われる端部部分に、前記縦止水材と接触する補助止水材を設けた構成としてもよい。そうすると、排気口が形成された部分でも縦止水材と中間横材の室外側面との間を補助止水材によって連続させることができるため、一層高い止水性を確保することができる。
【００１２】
また、本発明に係る建物は、上記構成のカーテンウォールを外壁に用いたことを特徴とする。
【発明の効果】
【００１３】
本発明によれば、排気口を設けた中間横材の室外側面に押縁のようなアタッチメントを装着する必要がなく、アウタースキンとなるビジョン部の室外側面材とスパンドレル部の面材とを１枚板状に形成した外観デザインとなる。その結果、高い外観品質を確保することができると共に、省略した押縁分の部品コストと施工コストを削減することができる。
【図面の簡単な説明】
【００１４】
【図１】図１は、本発明の一実施形態に係るカーテンウォールを備えた建物を室外側から見た要部拡大正面図である。
【図２】図２は、図１に示す建物のカーテンウォール近傍での縦断面図である。
【図３】図３は、図１中のＩＩＩ−ＩＩＩ線に沿う断面図である。
【図４】図４は、図１中のＩＶ−ＩＶ線に沿う断面図である。
【図５】図５は、図１中のＶ−Ｖ線に沿う断面図である。
【図６】図６は、図１中のＶＩ−ＶＩ線に沿う断面図である。
【図７】図７は、中間横材の端部付近の構成を示す一部断面斜視図であり、図７（Ａ）は、縦材に押縁及び縦ガスケットを装着する前の状態を示す図であり、図７（Ｂ）は、図７（Ａ）に示す状態から縦材に押縁及び縦ガスケットを装着した状態を示す図である。
【図８】図８は、中間横材の端部付近の構成を示す正面図である。
【発明を実施するための形態】
【００１５】
以下、本発明に係るカーテンウォールについて、このカーテンウォールを備える建物との関係で好適な実施の形態を挙げ、添付の図面を参照しながら詳細に説明する。
【００１６】
図１は、本発明の一実施形態に係るカーテンウォール１０を備えた建物１２を室外側から見た要部拡大正面図であり、図２は、図１に示す建物１２のカーテンウォール１０近傍での縦断面図である。
【００１７】
図１及び図２に示すように、カーテンウォール１０は建物１２の外壁１２ａを構成するものである。カーテンウォール１０は、枠体１４の内側にスパンドレル部１０ａとビジョン部１０ｂとを上下に並べたユニット構造であり、各ユニットを上下左右に並べて外壁１２ａとすることでスパンドレル部１０ａとビジョン部１０ｂが上下方向に交互に配置される。
【００１８】
建物１２は、躯体１６に取り付けた床スラブ１８の上面側に床板１９を設けた床２０と、床スラブ１８の下面側に吊下げ支持された天井２２とを有する。建物１２は、床スラブ１８の下面と天井２２の上面との間が上下階の境界部分１２ｂとなり、天井２２の下面と床２０の上面との間が居住空間１２ｃとなる。
【００１９】
カーテンウォール１０は、スパンドレル部１０ａが境界部分１２ｂと対向して該境界部分１２ｂの外壁１２ａとなり、ビジョン部１０ｂが居住空間１２ｃと対向して該居住空間１２ｃの外壁１２ａとなる。上記した通り、これらスパンドレル部１０ａ及びビジョン部１０ｂは１つの枠体１４の内側に保持されることでユニット構造をなしている。
【００２０】
枠体１４は、上横材（上枠）１４ａ、下横材（下枠）１４ｂ及び左右の縦材（縦枠）１４ｃ，１４ｄを四周枠組みして構成され、上横材１４ａと下横材１４ｂとの間に左右の縦材１４ｃ，１４ｄに亘る中間横材（中間枠）１４ｅが設けられている。各材１４ａ〜１４ｅは、例えばアルミニウム等の金属の押出形材である。枠体１４は、ファスナー２４を用いて躯体１６に対して固定される。
【００２１】
カーテンウォール１０は、上横材１４ａと中間横材１４ｅと左右の縦材１４ｃ，１４ｄで囲まれた部分に室内側パネル２６及び室外側パネル（面材）２７を取り付けることでスパンドレル部１０ａが形成され、中間横材１４ｅと下横材１４ｂと左右の縦材１４ｃ，１４ｄで囲まれた部分に室内側ガラス（室内側面材）２８及び室外側ガラス（室外側面材）２９を取り付けることでビジョン部１０ｂが形成されている。ビジョン部１０ｂを構成する室内側ガラス２８は、枠体１４に対して開閉可能に支持された障子３０に設けられている。
【００２２】
カーテンウォール１０は、ビジョン部１０ｂの室内側ガラス２８と室外側ガラス２９との間に下部の吸気口３１ａと上部の排気口３１ｂとで室外に連通する中間空気層３１が形成された、いわゆるダブルスキン構造とされている。
【００２３】
図３は、図１中のＩＩＩ−ＩＩＩ線に沿う断面図であり、図４は、図１中のＩＶ−ＩＶ線に沿う断面図である。また、図５は、図１中のＶ−Ｖ線に沿う断面図であり、図６は、図１中のＶＩ−ＶＩ線に沿う断面図である。
【００２４】
図３に示すように、スパンドレル部１０ａに対応する部分において、一方の縦材１４ｃは、見込み面に室内側パネル２６が配置される横向き凹形状の面材配置部３２を室内側縁部に有し、見込み面に室外側パネル２７が配置される横向き凹形状の面材配置部３３を室外側縁部に有する。さらに、図４に示すように、ビジョン部１０ｂに対応する部分において、縦材１４ｃは、障子３０の側縁部が配置される面材配置部３４を室内側縁部に有し、面材配置部３３を室外側縁部に有する。
【００２５】
面材配置部３２は、縦材１４ｃの見込み面から面内方向に突出した突出片３２ａと、縦材１４ｃの見込み面に取付固定された断面Ｌ字状の押さえ片３２ｂとの間に室内側パネル２６の側縁部を保持するものである。面材配置部３３は、縦材１４ｃの室外側端部に装着された押縁３３ａと、縦材１４ｃの室外側端面３３ｂとの間に室外側パネル２７の側縁部を保持するものである。押縁３３ａは縦材１４ｃの長手方向に亘って延在しており、室外側パネル２７との間に縦材１４ｃの長手方向に亘って延在する縦ガスケット（縦止水材）３５を有して止水がなされる。面材配置部３４は、障子３０の側縁部が配置される部分であり、突出片３２ａが障子３０の戸当たりとなる。縦ガスケット３５は、例えばゴム製である。
【００２６】
本実施形態の場合、室内側パネル２６を耐火性能を有したボード状のパネル材によって構成し、室外側パネル２７をフロートガラス板によって構成している。また、室内側ガラス２８を遮熱性及び断熱性を有する２枚のガラス板を間隙を介して配置した複層ガラスによって構成し、室外側ガラス２９をフロートガラス板によって構成している。
【００２７】
他方の縦材１４ｄも縦材１４ｃと左右対称形状である以外は略同様な構成であるため、縦材１４ｃと同一の参照符号を付して詳細な説明は省略する。すなわちスパンドレル部１０ａに対応する部分において、縦材１４ｄは、その室内側縁部に面材配置部３２を有し、その室外側縁部に面材配置部３３を有する。またビジョン部１０ｂに対応する部分において、縦材１４ｄは、その室内側縁部に面材配置部３４を有し、その室外側縁部に面材配置部３３を有する。縦材１４ｄにおいても、押縁３３ａと室外側パネル２７との間に縦ガスケット３５が設けられている。
【００２８】
図４に示すように、障子３０は、その吊元框３０ｃがヒンジ３６を介して縦材１４ｃの面材配置部３４に支持され、その戸先框３０ｄが縦材１４ｄの面材配置部３４に配設される。ビジョン部１０ｂの室内側ガラス２８は、障子３０の上框３０ａ、下框３０ｂ、吊元框３０ｃ及び戸先框３０ｄによって保持されている（図５及び図６も参照）。
【００２９】
図６に示すように、上横材１４ａは、見込み面に室内側パネル２６が配置される下向き凹形状の面材配置部３８を室内側縁部に有し、見込み面に室外側パネル２７が配置される下向き凹形状の面材配置部３９を室外側縁部に有する。
【００３０】
面材配置部３８は、上横材１４ａの室内側を向いた見付け面３８ａと、上横材１４ａの見込み面に取付固定された断面Ｌ字状の押さえ片３８ｂとの間に室内側パネル２６の上縁部を保持するものである。面材配置部３９は、上横材１４ａの室外側端部に装着された押縁３９ａと、上横材１４ａの室外側端面３９ｂとの間に室外側パネル２７の上縁部を保持するものである。押縁３９ａは上横材１４ａの長手方向に亘って延在しており、室外側パネル２７との間に上横材１４ａの長手方向に亘って延在する上ガスケット４０を有して止水がなされる。上ガスケット４０は、例えばゴム製であり、左右の縦ガスケット３５と連続する。
【００３１】
図６に示すように、下横材１４ｂは、障子３０が配置される面材配置部４２を室内側縁部に有し、見込み面に室外側ガラス２９が配置される上向き凹形状の面材配置部４３を室外側縁部に有する。
【００３２】
面材配置部４２は、障子３０の下縁部が配置される部分であり、下横材１４ｂの室内側を向いた見付け面４２ａが障子３０の戸当たりとなる。面材配置部４３は、下横材１４ｂの室外側端部に装着された押縁４３ａと、下横材１４ｂの室外側端面４３ｂとの間に室外側ガラス２９の下縁部を保持するものである。押縁４３ａは下横材１４ｂの長手方向に亘って延在しており、室外側ガラス２９との間に下横材１４ｂの長手方向に亘って延在する下ガスケット４４を有して止水がなされる。下ガスケット４４は、例えばゴム製であり、左右の縦ガスケット３５と連続する。つまりカーテンウォール１０では、上横材１４ａ、下横材１４ｂ及び左右の縦材１４ｃ，１４ｄの室外側端部に亘って上ガスケット４０、下ガスケット４４及び左右の縦ガスケット３５が配設されることで、枠体１４で構成されたユニットの四周を囲むように止水構造が連続している。これら上ガスケット４０、下ガスケット４４及び左右の縦ガスケット３５は四方一体で構成されている。
【００３３】
下横材１４ｂには、室外側端面４３ｂの裏側（室内側）となる位置に、上下面を貫通するように開口したスリット状の連通孔４６ａ，４６ｂが形成されている。各連通孔４６ａ，４６ｂは、下横材１４ｂの長手方向に複数並設されることで中間空気層３１を室外へと連通させる。すなわち、下横材１４ｂの押縁４３ａは、その下の階のユニットの上横材１４ａの押縁３９ａとの間に所定の隙間が設けられることで吸気口３１ａを形成している。これにより室外から吸気口３１ａへと導入された空気は連通孔４６ａから中間空気層３１へと流入し、上方へと流通して上部の排気口３１ｂから再び室外へと排出される。
【００３４】
図５に示すように、中間横材（無目）１４ｅは、ビジョン部１０ｂの室内側ガラス２８と室外側ガラス２９との間に形成された中間空気層３１の上部を塞ぐ上側部材４８と、上側部材４８の下方で中間空気層３１内に配置され、上側部材４８に対して所定の隙間を介して配置される下側部材５０とを有する。
【００３５】
上側部材４８は、矩形中空形状の室内側部４８ａと、室内側部４８ａに対してシール材５２を介して連結され、中間空気層３１の上部を塞ぐ蓋部４８ｂとを有する。
【００３６】
室内側部４８ａは、その上面に面材配置部５４が設けられ、その下面に面材配置部５５が設けられている。面材配置部５４は、室内側部４８ａの上面から面内方向に突出した突出片５４ａと、室内側部４８ａの上面に取付固定された断面Ｌ字状の押さえ片５４ｂとの間に室内側パネル２６の下縁部を保持するものである。面材配置部５５は、障子３０の上縁部が配置される部分であり、室内側部４８ａの上面から面内方向に突出した突出片５５ａが障子３０の戸当たりとなる。
【００３７】
蓋部４８ｂは、室内側部４８ａに連結された室内側端部から室外側端部に向かって水平に延びた後、下方に向かって傾斜し、今度は下方へと延びた後、水平に延びた断面略Ｌ字形状をなしている。蓋部４８ｂの室内側の水平部分には、中間空気層３１の上下に亘って配設されたブラインド５６の上端部が取り付けられる。ブラインド５６の下端部は下横材１４ｂに取り付けられる（図６参照）。蓋部４８ｂの室外側の水平部分である室外側縁部５８は、下側部材５０の室外側縁部５９との間に所定の隙間が設けられることで排気口３１ｂを形成する。
【００３８】
蓋部４８ｂの室外側縁部５８の上面となる上側見込み面５８ａには、該上側部材４８（中間横材１４ｅ）の長手方向に亘って延在する上側横ガスケット（第２横止水材）６０を介して室外側パネル２７の下端面が支持される。つまり、上側横ガスケット６０は、スパンドレル部１０ａの中間横材１４ｅ部分での止水材としての機能と、室外側パネル２７が載置されるセッティングブロックとしての機能を兼用する。上側横ガスケット６０は、例えばゴム製である。
【００３９】
下側部材５０は、断面略Ｌ字状に構成されており、上側部材４８の蓋部４８ｂの傾斜面に対向するように上方に突出したガイド片５０ａと、ガイド片５０ａの室外側の水平部分である室外側縁部５９とを有する。室外側縁部５９は、上記の通り上側部材４８の蓋部４８ｂの室外側縁部５８との間に排気口３１ｂを形成する。下側部材５０は、中間空気層３１の上部で排気口３１ｂへと連通する上下方向の折り返し流路を画成しており、ガイド片５０ａの室外側面により、雨水等が排気口３１ｂから中間空気層３１内へと浸入することを防いでいる。
【００４０】
下側部材５０の室外側縁部５９の下面となる下側見込み面５９ａには、該下側部材５０（中間横材１４ｅ）の長手方向に亘って延在する下側横ガスケット（第１横止水材）６２を介して室外側ガラス２９の上端面が支持される。下側横ガスケット６２は、例えば、下横材１４ｂ及び左右の縦材１４ｃ，１４ｄの各面材配置部３３，３５で室外側ガラス２９の３辺を保持した後、嵌入装着される。下側横ガスケット６２は、例えばゴム製である。
【００４１】
図７に示すように、これら中間横材１４ｅの上側横ガスケット６０及び下側横ガスケット６２は、保持する室外側パネル２７及び室外側ガラス２９の室外側面と略面一に設定される。その結果、上側横ガスケット６０及び下側横ガスケット６２は、それぞれその両端部が縦材１４ｃ，１４ｄの縦ガスケット３５と接触するため、上横材１４ａ、下横材１４ｂ及び左右の縦材１４ｃ，１４ｄの室外側縁部に亘って枠体１４の四周を囲む止水構造と、中間横材１４ｅの止水構造とが連続する（図７（Ｂ）参照）。すなわち、当該カーテンウォール１０では、例えば上側横ガスケット６０を装着して室外側パネル２７を配置すると共に、室外側ガラス２９を配置して下側横ガスケット６２を装着した後、これら室外側パネル２７及び室外側ガラス２９の残りの三方を囲むように、四方一体で構成されたガスケット３５，４０，４４を装着することで、室外側パネル２７及び室外側ガラス２９の止水構造が構築される。
【００４２】
但し、図７（Ａ）、図７（Ｂ）及び図８に示すように、中間横材１４ｅの上側横ガスケット６０と下側横ガスケット６２との間には排気口３１ｂによる隙間が開口しているため、この隙間で左右の縦材１４ｃ，１４ｄの縦ガスケット３５と上側横ガスケット６０及び下側横ガスケット６２との連続性が途切れた状態となる。そこで、この隙間で止水構造を連続させ止水性能を一層高めるために、本実施形態では、排気口３１ｂの縦ガスケット３５で覆われる端部部分３１ｃに、該縦ガスケット３５と接触する補助部品（補助止水材）６３を設けている。これにより、縦ガスケット３５と中間横材１４ｅの上側横ガスケット６０及び下側横ガスケット６２との間が補助部品６３を介して連続するように接触する。補助部品６３は、例えば樹脂部品や金属部品、さらには縦ガスケット３５等と同様なゴム部品によって形成される。
【００４３】
なお、カーテンウォール１０の隣接するユニット間は、縦材１４ｃと縦材１４ｄとの間が室外側の１次シール６４，６４同士の圧着と、室外側の２次シール６５，６５同士の圧着によって止水され（図３及び図４参照）、上横材１４ａと下横材１４ｂとの間が室外側の１次シール６４，６４同士の圧着と、室外側の２次シール６５，６５同士の圧着によって止水される（図６参照）。
【００４４】
この場合、本実施形態に係るカーテンウォール１０では、中間横材１４ｅは、中間空気層３１の上部を塞ぐ上側部材４８と、上側部材４８の下方で該上側部材４８に対して隙間を介して配置される下側部材５０とを備え、上側部材４８の室外側縁部５８と下側部材５０の室外側縁部５９との間に中間空気層３１の排気口３１ｂが形成されている。そして、下側部材５０の室外側縁部５９の下側見込み面５９ａに対し、該下側部材５０の長手方向に亘って延在する下側横ガスケット６２を介してビジョン部１０ｂの室外側ガラス２９を配置し、上側部材４８の室外側縁部５８の上側見込み面５８ａに対し、該上側部材４８の長手方向に亘って延在する上側横ガスケット６０を介してスパンドレル部１０ａの室外側パネル２７を配置している。
【００４５】
従って、排気口３１ｂが形成される中間横材１４ｅの室外側縁部５８，５９に対し、上横材１４ａや下横材１４ｂの押縁３９ａ，４３ａのような押縁を装着する必要がない。これにより、建物１２の外壁１２ａを形成するカーテンウォール１０の各ユニットの排気口３１ｂ部分の外観上から押縁をなくすことができ、アウタースキンとなるスパンドレル部１０ａの室外側パネル２７とビジョン部１０ｂの室外側ガラス２９とを１枚ガラスのように形成した外観デザインとなる。その結果、高い外観品質を確保することができると共に、省略した押縁分の部品コストと施工コストを削減することができる。なお、スパンドレル部１０ａの室外側パネル２７とビジョン部１０ｂの室外側ガラス２９との間は、排気口３１ｂ部分に切れ目が生じているが、当該カーテンウォール１０では中間空気層３１をビジョン部１０ｂのみに形成することでその容積を低減しているため、排気口３１ｂの開口幅も最小限に構成することができ、押縁がないことも相まって、見かけ上アウタースキンを１枚ガラスのように形成することができる。
【００４６】
当該カーテンウォール１０では、左右の縦材１４ｃ，１４ｄの室外側端部には、縦材１４ｃ，１４ｄの長手方向に亘って延在し、縦材１４ｃ，１４ｄとの間でビジョン部１０ｂの室外側ガラス２９及びスパンドレル部１０ａの室外側パネル２７を保持する押縁３３ａが装着されている。そして、この押縁３３ａと室外側ガラス２９及び室外側パネル２７との間には、縦材１４ｃ，１４ｄの長手方向に亘って延在し、中間横材１４ｅに設けられた上側横ガスケット６０及び下側横ガスケット６２と接触する縦ガスケット３５が設けられる。これにより、中間横材１４ｅの端部での止水性を確保することができる。
【００４７】
この際、当該カーテンウォール１０では、排気口３１ｂの縦ガスケット３５で覆われる端部部分３１ｃに縦ガスケット３５と接触する補助部品６３を設けているため、縦ガスケット３５と中間横材１４ｅの室外側面との間がより確実に連続し、一層高い止水性を確保することができる。
【００４８】
なお、本発明は、上記した実施形態に限定されるものではなく、本発明の主旨を逸脱しない範囲で自由に変更できることは勿論である。
【符号の説明】
【００４９】
１０  カーテンウォール、１０ａ  スパンドレル部、１０ｂ  ビジョン部、１２  建物、１２ａ  外壁、１２ｂ  境界部分、１２ｃ  居住空間、１４  枠体、１４ａ  上横材、１４ｂ  下横材、１４ｃ，１４ｄ  縦材、１４ｅ  中間横材、１６  躯体、２０  床、２２  天井、２６  室内側パネル、２７  室外側パネル、２８  室内側ガラス、２９  室外側ガラス、３０  障子、３１  中間空気層、３１ａ  吸気口、３１ｂ  排気口、３１ｃ  端部部分、３２〜３４，３８，３９，４２，４３，５４、５５  面材配置部、３３ａ，３９ａ，４３ａ  押縁、３５  縦ガスケット、４０  上ガスケット、４４  下ガスケット、４６ａ，４６ｂ  連通孔、４８  上側部材、４８ａ  室内側部、４８ｂ  蓋部、５０  下側部材、５０ａ  ガイド片、５８，５９  室外側縁部、５８ａ  上側見込み面、５９ａ  下側見込み面、６０  上側横ガスケット、６２  下側横ガスケット、６３  補助部品、６４  １次シール、６５  ２次シール
【図１】
0006506073.tif 000002
【図２】
0006506073.tif 000003
【図３】
0006506073.tif 000004
【図４】
0006506073.tif 000005
【図５】
0006506073.tif 000006
【図６】
0006506073.tif 000007
【図７】
0006506073.tif 000008
【図８】
0006506073.tif 000009